(57)【特許請求の範囲】
【請求項１】
画像を表示する表示装置であって、
透過光の透過率を変更することで画像を表示する表示パネルと、
前記表示パネルの一面側から光を供給する第１の光供給部と、
前記表示パネルの他面側から光を供給する第２の光供給部と、
前記第１の光供給部または前記第２の光供給部に光を供給させるべく、前記第１の光供給部および前記第２の光供給部の一方を他方に切り替える切替部と、
前記切替部が前記第１の光供給部に切り替えたときに前記表示パネルが前記他面側に表示する画像を外部に視覚させる第１の視覚部と、
前記切替部が前記第２の光供給部に切り替えたときに前記表示パネルが前記一面側に表示する画像を外部に視覚させる第２の視覚部と、
前記表示パネルと前記第１の光供給部との間に設けられ、前記第１の光供給部から供給された光を透過させて前記表示パネルの一面側に供給し、前記第２の光供給部から供給されて前記表示パネルを透過した光を反射して前記第２の視覚部に供給するハーフミラーとを備える表示装置。
【請求項２】
画像を撮像する撮像部と、
前記撮像部が撮像した画像を格納する格納部と
をさらに備え、
前記表示パネルは、前記切替部が前記第１の光供給部に切り替えたときに、前記格納部が格納している画像を前記表示パネルの前記他面側に表示し、前記切替部が前記第２の光供給部に切り替えたときに、前記撮像部から受け取った画像を前記表示パネルの前記一面側に表示させる
請求項１に記載の表示装置。
【請求項３】
前記ハーフミラーが反射した前記第２の光供給部から供給された光を屈折させて、当該光が示す画像を縮小する屈折部と、
前記屈折部が屈折させた光を反射して前記第２の視覚部に供給する画像反射ミラーと
をさらに備える請求項１に記載の表示装置。
【請求項４】
前記第１の視覚部は、表示モニタであり、
前記第２の視覚部は、ファインダであり、
前記ファインダおよび前記表示モニタは、同一面上に設けられ、同一方向から視覚可能に外部に光を送り出す
請求項１に記載の表示装置。
【発明の詳細な説明】
【０００１】
【発明の属する技術分野】
本発明は、表示装置に関する。特に本発明は、表示パネルを有する表示装置に関する。
【０００２】
【従来の技術】
従来、デジタルカメラ等の撮像装置には、ファインダと表示モニタのように複数の表示部材が設けられている。例えば、実開平５−６００４３号は、赤、緑、青それぞれの画像信号を合成する液晶ビューファインダを開示している。
【０００３】
【発明が解決しようとする課題】
しかし、上記した公報に係る表示部材は、複数の表示部材を必要としていた。従ってコストが高くなっていた。
【０００４】
そこで本発明は、上記の課題を解決することのできる表示装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、画像を表示する表示装置であって、透過光の透過率を変更することで画像を表示する表示パネルと、表示パネルの一面側から光を供給する第１の光供給部と、表示パネルの他面側から光を供給する第２の光供給部と、第１の光供給部または第２の光供給部に光を供給させるべく、第１の光供給部と第２の光供給部の一方を他方に切り替える切替部とを備え、表示パネルは、切替部が第１の光供給部及び第２の光供給部の一方を他方に切り替えたときに、表示する画像を切り替える。
【０００６】
切替部が第１の光供給部に切り替えたときに表示パネルが表示する画像を外部に視覚させる第１の視覚部と、切替部が第２の光供給部に切り替えた時に表示パネルが表示する画像を表す光の光路を屈折させる屈折部と、屈折部が光路を屈折させた光を、第１の視覚部と同一方向から外部に視覚可能に送り出す第２の視覚部とをさらに備えてもよい。
【０００７】
画像を表示する表示装置であって、一面及び他面に画像を表示する表示パネルと、表示パネルの一面が表示する画像を外部に視覚させる第１の視覚部と、表示パネルの他面から出射される、画像を示す光の光路を、他面が出射する方向とは異なる方向に屈折させる屈折部と、屈折部が光路を屈折させた光を外部に視覚可能に送り出す第２の視覚部とを備えてもよい。
【０００８】
なお上記の発明の概要は、本発明の必要な特徴の全てを列挙したものではなく、これらの特徴群のサブコンビネーションも又発明となりうる。
【０００９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１０】
なお、本実施の形態では、特許請求の範囲に記載の「表示装置」の一例として「撮像装置」を用いて説明する。また発明の詳細な説明に記載の「ＬＣＤパネル」は、特許請求の範囲に記載の「表示パネル」の一例である。また発明の詳細な説明に記載の「ファインダ」は、特許請求の範囲に記載の「第２の視覚部」の一例である。また発明の詳細な説明に記載の「表示部」は、特許請求の範囲に記載の「第１の視覚部」の一例である。また発明の詳細な説明に記載の「第１のファインダ用レンズ」、「第２のファインダ用レンズ」、及び「画像反射ミラー」は、特許請求の範囲に記載の「屈折部」の一例である。
【００１１】
図１は、本実施の形態に係る撮像装置１０の外観図である。撮像装置１０は、レリーズスイッチ１１４と、ファインダ３４と、表示部１００と、モニタ保護カバー２００とを備える。ここで撮像装置１０は、ファインダ３４と表示部１００とを一面上に備える。表示部１００は、撮像装置１０が撮像した画像、外部から取得した画像、及び記録している画像を表示する。ファインダ３４は、撮像装置が撮像した画像、もしくは撮像しようとしている画像を表示する。モニタ保護カバー２００は、撮像装置１０において上下方向に可動であり、下部に配置されたときに表示部１００を覆う。
【００１２】
図２は、本実施の形態に係る撮像装置１０に特徴的な機能構成を示すブロック図である。撮像装置１０は、切替部１１３と、第１の光供給部１０３と、第２の光供給部１０５と、メインＣＰＵ６２と、ＬＣＤパネル１０４と、第１の円筒２０と、格納部１２０と、外部接続部１３０とを備える。
【００１３】
第１の光供給部１０３は、ＬＣＤパネル１０４の一面側から光を供給する。第２の光供給部１０５は、ＬＣＤパネル１０４の他面側から光を供給する。
【００１４】
切替部１１３は、第１の光供給部１０３及び第２の光供給部１０５の一方から他方に切り替える。切替部１１３は、図１におけるモニタ保護カバー２００の上下方向の位置を検出するスイッチを備え、当該スイッチの検出結果に基づいて、第１の光供給部１０３及び第２の光供給部１０５の一方を他方に切り替える。例えばモニタ保護カバー２００が下部から上部に移動し、表示部１００を露出させるときには、第２の光供給部１０５から第１の光供給部１０３に切り替え、第１の光供給部１０３に光を供給させる。一方、モニタ保護カバー２００が下部から上部に移動し、表示部１００を覆うときには、第１の光供給部１０３から第２の光供給部１０５に切り替え、第２の光供給部１０５に光を供給させる。
【００１５】
また切替部１１３は、第１の光供給部１０３及び第２の光供給部１０５の一方から他方に切り替えたときに、第１の光供給部１０３及び第２の光供給部１０５の一方から他方に切り替えた旨を示す切り替え情報をメインＣＰＵ６２に送る。
【００１６】
撮像部２０は、画像を撮像し、メインＣＰＵ６２に送る。格納部１２０は、撮像部２０が撮像した画像を格納する。外部接続部１３０は、外部から画像を取得する。
【００１７】
メインＣＰＵ６２は、切替部１１３から切り替え情報を受け取ると、ＬＣＤパネル１０４に表示させる画像及び面を切り替える。ここでメインＣＰＵ６２は、受け取った切り替え情報が第２の光供給部１０５から第１の光供給部１０３に切り替えた旨を示す場合に、撮像部２０から受け取った画像、または格納部１２０が格納している画像、または外部接続部１３０が取得した画像のいずれかを、抽出してＬＣＤパネル１０４の一面に表示させる。
【００１８】
一方、メインＣＰＵ６２は、受け取った切り替え情報が第１の光供給部１０３から第２の光供給部１０５に切り替えた旨を示す場合に、撮像部２０から受け取った画像を、ＬＣＤパネル１０４の他面に表示させる。
【００１９】
図３は、表示部１００、モニタ保護カバー２００、及びファインダ３４の構成を示す。表示部１００は、ＬＣＤパネル１０４と、第１の光供給部１０３と、ハーフミラー１０１とを有する。モニタ保護カバー２００は、第２の光供給部１０５を有する。ファインダ３４は、第１のファインダ用レンズ３４２と、第２のファインダ用レンズ３４４と、画像反射ミラー３４６と、ファインダ用接眼ガラス２０２とを有する。
【００２０】
ハーフミラー１０１は、第２の光供給部１０５からの光を画像反射ミラー３４６方向に反射できる位置に配置される。本実施の形態では、ハーフミラー１０１は、第２の光供給部１０５に対して例えば４５度の位置に配置される。画像反射ミラー３４６は、ハーフミラー１０１の上部に配置され、ハーフミラー１０１からの光をファインダ用接眼ガラス２０２方向に反射する位置に配置される。第２のファインダ用レンズ３４４及び第１のファインダ用レンズ３４２は、画像反射ミラー３４６とハーフミラー１０１の間に配置される。
【００２１】
第２の光供給部１０５は、モニタ保護カバー２００のＬＣＤパネル１０４側の一面に設置される。モニタ保護カバー２００を、撮像装置１０の下部方向にスライドさせているときには、第２の光供給部１０５は、ＬＣＤパネル１０４に光を供給する。一方、モニタ保護カバー２００を、撮像装置１０の上部方向にスライドさせているときには、第１の光供給部１０３は、ＬＣＤパネル１０４に光を供給する。
【００２２】
ＬＣＤパネル１０４は、モニタ保護カバー２００側の一面、及びハーフミラー１０１側の他面に画像を表示する。ここで第１の光供給部１０３がＬＣＤパネル１０４に光を供給しているときは、ＬＣＤパネル１０４は、モニタ保護カバー２００側の一面に画像を表示する。一方、第２の光供給部１０５がＬＣＤパネル１０４に光を供給しているときは、ＬＣＤパネル１０４は、ハーフミラー１０１側の他面に画像を表示する。
【００２３】
ハーフミラー１０１は、第１の光供給部１０３が供給した光を透過して、ＬＣＤパネル１０４に照射する。またハーフミラー１０１は、ＬＣＤパネル１０４が表示した画像を表す光を、第１のファインダ用レンズ３４２の方向に反射する。
【００２４】
第１のファインダ用レンズ３４２及び第２のファインダ用レンズ３４４は、ハーフミラー１０１が反射した光を屈折させることで、ＬＣＤパネル１０４が表示した画像を縮小する。画像反射ミラー３４６は、第２のファインダ用レンズ３４４が屈折させた光を、ファインダ用接眼ガラス２０２方向に反射する。これによりファインダ用接眼ガラス２０２は、ＬＣＤパネル１０４が表示した画像を表示することができる。
【００２５】
また本実施の形態では、モニタ保護カバー２００の上にファインダ用接眼ガラス２０２が配置されているが、これに代えてモニタ保護カバー２００の下、または横等にファインダ用接眼ガラス２０２が配置されてもよい。
【００２６】
図４は、モニタ保護カバー２００が表示部１００を覆った状態における表示部１００、モニタ保護カバー２００、及びファインダ３４の構成を示す。モニタ保護カバー２００が表示部１００を覆っているときには、第２の光供給部１０５がＬＣＤパネル１０４に光を供給する。ＬＣＤパネル１０４は、第２の光供給部１０５から供給された光の透過率を変更して、画像をハーフミラー１０１側に表示する。ハーフミラー１０１は、ＬＣＤパネル１０４が表示した画像を表す光を第１のファインダ用レンズ３４２方向に反射する。
【００２７】
ハーフミラー１０１が反射した光は、第２のファインダ用レンズ３４４及び第１のファインダ用レンズ３４２を透過する。第２のファインダ用レンズ３４４を透過した光は、画像反射ミラー３４６によってファインダ用接眼ガラス２０２方向に反射して、ファインダ用接眼ガラス２０２を通して外部に視覚可能に送り出される。
【００２８】
このようにして、ファインダ３４は、ＬＣＤパネル１０４が表示した画像を表す光の光路を変更することで、画像を表す光を視覚可能に外部に送りだすことができる。
【００２９】
モニタ保護カバー２００を図４の矢印方向にスライドさせることで、図５に示すようにモニタ保護カバー２００を上部に移動することができる。図５は、モニタ保護カバー２００が表示部１００を外部に開放した状態における表示部１００、モニタ保護カバー２００、及びファインダ３４の構成を示す。
【００３０】
モニタ保護カバー２００が表示部１００を開放しているときには、第１の光供給部１０３がＬＣＤパネル１０４に光を供給する。ハーフミラー１０１は、第１の光供給部１０３が供給した光をＬＣＤパネル１０４方向に透過する。ＬＣＤパネル１０４は、ハーフミラー１０１が透過した光の透過率を変更して、画像をハーフミラー１０１とは反対側に、外部に対して視覚可能に表示する。ここでＬＣＤパネル１０４は、図４においてハーフミラー１０１側に表示する画像に対して、天地が逆の画像を表示する。
【００３１】
このようにして、撮像装置１０は、出射方向の異なる第１の光供給部１０３及び第２の光供給部１０５を用いることで、同一のＬＣＤパネル１０４を用いて、ファインダ３４及び表示部１００に画像を表示することができる。
【００３２】
このようにＬＣＤパネル１０４をファインダ３４と表示部１００とに兼用することにより、撮像装置１０の小型化を実現することができる。またファインダ３４は、専用の特殊な光学系を使用せずに画像を表示することができる。
【００３３】
図６は、本実施形態に係る撮像装置１０の一例であるデジタルカメラ１２の構成を示す。デジタルカメラ１２は、撮像部２０、撮像制御部４０、システム制御部６０、表示部１００、操作部１１０、格納部１２０、外部接続部１３０、及び画像処理部１４０を備える。
【００３４】
撮像部２０は、撮影レンズ部２２、絞り２４、シャッタ２６、光学ＬＰＦ２８、ＣＣＤ３０、撮像信号処理部３２、ファインダ３４、及びストロボ３６を有する。
【００３５】
撮影レンズ部２２は、被写体像を取り込んで処理を施す。撮影レンズ部２２は、フォーカスレンズやズームレンズ等を含み、被写体像をＣＣＤ３０の受光面上に結像する。絞り２４は、撮影レンズ部２２を通過した光を絞り、光学ＬＰＦ２８は、絞り２４を通過した光に含まれる所定の波長より長い波長成分を通過させる。ＣＣＤ３０の各センサエレメントは、結像した被写体像の光量に応じ、電荷を蓄積する（以下その電荷を「蓄積電荷」という）。
【００３６】
シャッタ２６は、機械式シャッタであり、撮影レンズ部２２を通過した光をＣＣＤ３０に露光するか否かを制御する。また、デジタルカメラ１２は、シャッタ２６に代えて電子シャッタ機能を有してもよい。電子シャッタ機能を実現するために、ＣＣＤ３０のセンサエレメントは、シャッタゲート及びシャッタドレインを有する。シャッタゲートを駆動することにより、蓄積電荷がシャッタドレインに掃き出される。シャッタゲートの制御により、各センサエレメントに電荷を蓄積する時間、即ちシャッタスピードを制御できる。ＣＣＤ３０において、蓄積電荷は、リードゲートパルスによってシフトレジスタに読み出され、レジスタ転送パルスによって電圧信号として順次読み出される。
【００３７】
撮像信号処理部３２は、ＣＣＤ３０から出力される被写体像を示す電圧信号、即ちアナログ信号をＲ、Ｇ、Ｂ成分に色分解する。そして、撮像信号処理部３２は、Ｒ、Ｇ、Ｂ成分を調整することにより、被写体像のホワイトバランスを調整する。撮像信号処理部３２は、被写体像のガンマ補正を行う。そして、撮像信号処理部３２は、Ｒ、Ｇ、Ｂ成分に分解されたアナログ信号をＡ／Ｄ変換し、その結果得られた被写体像のデジタルの画像データ（以下「デジタル画像データ」という）をシステム制御部６０へ出力する。
【００３８】
ファインダ３４は、表示手段を有し、後述のメインＣＰＵ６２等からの各種情報をファインダ３４内に表示する。ファインダ３４は、第２のファインダ用レンズ３４４及び第１のファインダ用レンズ３４２を有する。ストロボ３６は、コンデンサに蓄えられたエネルギを放電する放電管３７を有し、放電管３７にエネルギが供給されたとき放電管３７が発光することで機能する。
【００３９】
撮像制御部４０は、ズーム駆動部４２、フォーカス駆動部４４、絞り駆動部４６、シャッタ駆動部４８、それらを制御する撮像系ＣＰＵ５０、測距センサ５２、及び測光センサ５４を有する。ズーム駆動部４２、フォーカス駆動部４４、絞り駆動部４６、及びシャッタ駆動部４８は、それぞれステッピングモータ等の駆動手段を有し、撮像部２０に含まれる機構部材を駆動する。後述のレリーズスイッチ１１４の押下に応じ、測距センサ５２は被写体までの距離を測定し、測光センサ５４は被写体輝度を測定する。そして、測距センサ５２及び測光センサ５４は、測定された被写体までの距離のデータ（以下単に「測距データ」という）及び被写体輝度のデータ（以下単に「測光データ」という）を、それぞれ撮像系ＣＰＵ５０に供給する。
【００４０】
撮像系ＣＰＵ５０は、ユーザから指示されたズーム倍率等の撮影情報に基づき、ズーム駆動部４２及びフォーカス駆動部４４を制御して撮影レンズ部２２のズーム倍率とピントの調整を行う。また、撮像系ＣＰＵ５０は、測距センサ５２から受け取った測距データに基づいて、ズーム駆動部４２及びフォーカス駆動部４４を制御してズーム倍率及びピントの調整を行ってもよい。
【００４１】
撮像系ＣＰＵ５０は、測光センサ５４から受け取った測光データに基づいて、絞り値及びシャッタスピードを決定する。決定された値に従い、絞り駆動部４６及びシャッタ駆動部４８は、絞り２４の絞り量及びシャッタ２６の開閉をそれぞれ制御する。
【００４２】
また、撮像系ＣＰＵ５０は、測光センサ５４から受け取った測光データに基づいて、ストロボ３６の発光を制御し、同時に絞り２４の絞り量を調整する。ユーザが映像の取込を指示したとき、ＣＣＤ３０は電荷蓄積を開始し、測光データから計算されたシャッタ時間の経過後、蓄積電荷を撮像信号処理部３２へ出力する。
【００４３】
システム制御部６０は、メインＣＰＵ６２、キャラクタ生成部８４、タイマ８６、及びクロック発生器８８を有する。メインＣＰＵ６２は、デジタルカメラ１２全体、特にシステム制御部６０を制御する。メインＣＰＵ６２は、シリアル通信等により、撮像系ＣＰＵ５０との間で必要な情報の受け渡しをする。
【００４４】
クロック発生器８８は、メインＣＰＵ６２の動作クロックを発生し、メインＣＰＵ６２に供給する。また、クロック発生器８８は、撮像系ＣＰＵ５０及び表示部１００の動作クロックを発生する。クロック発生器８８は、メインＣＰＵ６２、撮像系ＣＰＵ５０、及び表示部１００に対してそれぞれ異なる周波数の動作クロックを供給してもよい。
【００４５】
キャラクタ生成部８４は、撮影日時、タイトル等の撮影画像に合成する文字情報や、図形情報を生成する。タイマ８６は、例えば電池等でバックアップされ、常に時間をカウントし、当該カウント値に基づいて撮影画像の撮影日時に関する情報等の時刻情報をメインＣＰＵ６２に供給する。タイマ８６は、蓄電池から供給された電力により、デジタルカメラ本体の電源がオフである場合にも時間をカウントするのが望ましい。また、キャラクタ生成部８４及びタイマ８６は、メインＣＰＵ６２に併設されることが好ましい。
【００４６】
格納部１２０は、メモリ制御部６４、不揮発性メモリ６６、及びメインメモリ６８を有する。メモリ制御部６４は、不揮発性メモリ６６とメインメモリ６８とを制御する。不揮発性メモリ６６は、ＥＥＰＲＯＭ（電気的消去及びプログラム可能なＲＯＭ）やＦＬＡＳＨメモリ等で構成され、ユーザによる設定情報や出荷時の調整値等、デジタルカメラ１２の電源がオフの間も保持すべきデータを格納する。不揮発性メモリ６６は、メインＣＰＵ６２のブートプログラムやシステムプログラム等を格納してもよい。
【００４７】
メインメモリ６８は、ＤＲＡＭのように比較的安価で容量の大きなメモリで構成されることが好ましい。メインメモリ６８は、撮像部２０から出力されたデータを格納するフレームメモリとしての機能、各種プログラムをロードするシステムメモリとしての機能、その他ワークエリアとしての機能を有する。不揮発性メモリ６６及びメインメモリ６８は、システム制御部６０内外の各部とバス８２を介してデータのやりとりを行う。不揮発性メモリ６６は、デジタル画像データを更に格納してもよい。
【００４８】
画像処理部１４０は、ＹＣ処理部７０、エンコーダ７２、及び圧縮伸張処理部７８を有する。また、外部接続部１３０は、オプション装置制御部７４、及び通信Ｉ／Ｆ部８０を有する。
【００４９】
ＹＣ処理部７０は、デジタル画像データにＹＣ変換を施し、輝度信号Ｙ、並びに色差（クロマ）信号Ｂ−Ｙ及びＲ−Ｙを生成する。メインメモリ６８は、メモリ制御部６４の制御に基づいて、輝度信号及び色差信号を格納する。
【００５０】
圧縮伸張処理部７８は、メインメモリ６８から順次輝度信号と色差信号を読み出して圧縮する。そして、オプション装置制御部７４は、圧縮されたデジタル画像データ（以下単に「圧縮データ」という）をオプション装置７６の一例であるメモリカードへ書き込む。
【００５１】
エンコーダ７２は、輝度信号と色差信号を、ビデオ信号（ＮＴＳＣやＰＡＬ信号）に変換して端子９０から出力する。オプション装置７６に記録された圧縮データからビデオ信号を生成する場合、圧縮データは、まずオプション装置制御部７４を介して圧縮伸張処理部７８へ与えられる。続いて、圧縮伸張処理部７８で必要な伸張処理が施されたデータはエンコーダ７２によってビデオ信号へ変換される。
【００５２】
オプション装置制御部７４は、オプション装置７６が許容する信号仕様及びバス８２のバス仕様に従い、バス８２とオプション装置７６との間で必要な信号の生成、論理変換、及び／又は電圧変換等を行う。デジタルカメラ１２は、オプション装置７６として前述のメモリカードの他に、例えばＰＣＭＣＩＡ準拠の標準的なＩ／Ｏカードをサポートしてもよい。その場合、オプション装置制御部７４は、ＰＣＭＣＩＡ用バス制御ＬＳＩ等で構成してもよい。
【００５３】
通信Ｉ／Ｆ部８０は、デジタルカメラ１２がサポートする通信仕様、たとえばＵＳＢ、ＲＳ−２３２Ｃ、イーサネット等の仕様に応じたプロトコル変換等の制御を行う。通信Ｉ／Ｆ部８０は、圧縮データ又はデジタル画像データを、端子９２を介してネットワークを含む外部機器に出力してよい。通信Ｉ／Ｆ部８０は、必要に応じてドライバＩＣを含み、外部機器と端子９２を介して通信する。通信Ｉ／Ｆ部８０は、例えばプリンタ、カラオケ機、ゲーム機等の外部機器との間で独自のインターフェースによるデータ授受を行う構成としてもよい。
【００５４】
表示部１００は、ＬＣＤパネル１０４及びパネルドライバ１０８を有する。パネルドライバ１０８は、ＬＣＤパネル１０４を制御する。ＬＣＤパネル１０４は、例えば２インチ程度の大きさでカメラ背面に設けられ、現在の撮影や再生のモード、撮影や再生のズーム倍率、電池残量、日時、モード設定のための画面、被写体画像等を表示する。ＬＣＤパネル１０４は、例えば２インチ程度の大きさでカメラ背面に設けられ、現在の撮影や再生のモード、撮影や再生のズーム倍率、電池残量、日時、モード設定のための画面、被写体画像、画質（ＦＩＮＥ／ＮＯＲＭＡＬ／ＢＡＳＩＣ等）、ストロボ発光／発光禁止、標準撮影可能枚数、画素数、電池容量／残量等を表示する。
【００５５】
操作部１１０は、パワースイッチ１１２、レリーズスイッチ１１４、機能設定部１１６、及びズームスイッチ１１８を有する。パワースイッチ１１２は、ユーザの指示に基づいてデジタルカメラ１２の電源をオン／オフする。レリーズスイッチ１１４は、半押しと全押しの二段階押し込み構造を有する。一例として、レリーズスイッチ１１４が半押しされることにより、撮像制御部４０は、自動焦点調整及び自動露出調整を行い、全押しされることにより、撮像部２０は、被写体像を取り込む。
【００５６】
機能設定部１１６は、例えば回転式のモードダイヤルや十字キー等であって、「ファイルフォーマット」、「特殊効果」、「印画」、「決定／保存」、「表示切換」等の設定を受け付ける。ズームスイッチ１１８は、撮像部２０が取得する被写体像のズーム倍率の設定を受け付ける。
【００５７】
以上の構成による主な動作は以下のとおりである。まずパワースイッチ１１２が押下され、デジタルカメラ１２の各部に電力が供給される。メインＣＰＵ６２は、機能設定部１１６の状態を読み込むことで、デジタルカメラ１２が撮影モードにあるか再生モードにあるかを判断する。
【００５８】
デジタルカメラ１２が撮影モードの場合、メインＣＰＵ６２は、レリーズスイッチ１１４の半押し状態を監視する。レリーズスイッチ１１４の半押し状態が検出されたとき、撮像系ＣＰＵ５０は、測光センサ５４及び測距センサ５２からそれぞれ測光データと測距データを得る。撮像制御部４０は、撮像系ＣＰＵ５０が得た測光データ及び測距データに基づいて、撮像部２０のピント、絞り等を調整する。調整が完了すると、ＬＣＤパネル１０４は、「スタンバイ」等の文字を表示してユーザにその旨を伝える。
【００５９】
続いて、メインＣＰＵ６２は、レリーズスイッチ１１４の全押し状態を監視する。レリーズスイッチ１１４の全押し状態が検出されたとき、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはバス８２へ出力される。デジタル画像データは一旦メインメモリ６８へ格納され、この後ＹＣ処理部７０と圧縮伸張処理部７８で処理され、オプション装置制御部７４を経由してオプション装置７６へ記録される。記録されたデジタル画像データに基づく撮影画像は、フリーズされた状態でしばらくＬＣＤパネル１０４に表示され、ユーザは撮影画像を確認することができる。以上で一連の撮影動作が完了する。
【００６０】
一方、デジタルカメラ１２が再生モードの場合、メインＣＰＵ６２は、メインメモリ６８、不揮発性メモリ６６、及び／又はオプション装置７６から撮影した撮影画像を読み出し、これを表示部１００のＬＣＤパネル１０４へ表示する。
【００６１】
この状態でユーザが機能設定部１１６にて「順送り」、「逆送り」を指示すると、メインＣＰＵ６２は、メインメモリ６８、不揮発性メモリ６６、及び／又はオプション装置７６が格納した他の撮影画像を読み出し、これを表示部１００のＬＣＤパネル１０４へ表示する。
【００６２】
以上、本発明を実施の形態を用いて説明したが、本発明の技術的範囲は上記実施の形態に記載の範囲には限定されない。上記実施の形態に、多様な変更又は改良を加えることができる。
【００６３】
例えば、本実施の形態において表示パネルの一例として、ＬＣＤパネル１０４を用いているが、これに代えて有機ＥＬ素子等の発光素子を用いた表示パネルでもよい。このとき光供給部は、本実施の形態に係る位置に限定されない。また本実施の形態に係るＬＣＤパネル１０４は、ファインダ３４に画像を表示する際、撮像部２０から受け取った画像のみを表示しているが、これに代えて他の例としては、撮像部２０からの画像に加えて格納部１２０に格納されている画像及び外部接続部１３０が外部から取得した画像を表示してもよい。
【００６４】
その様な変更又は改良を加えた形態も本発明の技術的範囲に含まれ得ることが、特許請求の範囲の記載から明らかである。
【００６５】
【発明の効果】
上記説明から明らかなように、本発明によればコストの低い表示装置を提供することができる。
【図面の簡単な説明】
【図１】本実施の形態に係る撮像装置１０の外観図である。
【図２】本実施の形態に係る撮像装置１０に特徴的な機能構成を示すブロック図である。
【図３】表示部１００、モニタ保護カバー２００、及びファインダ３４の構成を示す図である。
【図４】モニタ保護カバー２００が表示部１００を覆った状態における表示部１００、モニタ保護カバー２００、及びファインダ３４の構成を示す図である。
【図５】モニタ保護カバー２００が表示部１００を外部に開放した状態における表示部１００、モニタ保護カバー２００、及びファインダ３４の構成を示す。
【図６】本実施形態に係る撮像装置１０の一例であるデジタルカメラ１２の構成を示す図である。
【符号の説明】
１０  撮像装置
２０  撮像部
３４  ファインダ
６２  メインＣＰＵ
１００  表示部
１０１  ハーフミラー
１０３  第１の光供給部
１０４  ＬＣＤパネル
１０５  第２の光供給部
１１３  切替部
１２０  格納部
１３０  外部接続部
２００  モニタ保護カバー
２０２  ファインダ用接眼ガラス
３４２  第１のファインダ用レンズ
３４４  第２のファインダ用レンズ
３４６  画像反射ミラー
【図１】
0003844698.tif 000002
【図２】
0003844698.tif 000003
【図３】
0003844698.tif 000004
【図４】
0003844698.tif 000005
【図５】
0003844698.tif 000006
【図６】
0003844698.tif 000007